(57)【特許請求の範囲】
【請求項１】
動画及び静止画を撮影する撮像手段と、撮影する画像を表示部に表示する表示制御手段とを備える撮像装置であって、
前記表示制御手段は、静止画撮影モードにて静止画を撮影する際には、合焦状態を確認可能なフォーカス枠を前記画像と合わせて前記表示部に表示し、
動画撮影モードにて静止画を撮影する際には、前記フォーカス枠とは異なり、前記画像の一部のエッジを抽出または強調して表示するピーキング表示を行った画像を前記表示部に表示することで合焦状態を確認可能であることを特徴とする撮像装置。
【請求項２】
合焦状態を検出する検出手段を備え、
前記表示制御手段は、前記検出手段による検出値に応じて、前記ピーキング表示の色を変更することを特徴とする請求項１に記載の撮像装置。
【請求項３】
前記表示制御手段は、シャッターボタンの半押し状態で前記フォーカス枠または前記ピーンキング表示を行った画像を表示する処理を各撮影モードにおいて実行することを特徴とする請求項１または２に記載の撮像装置。
【請求項４】
前記表示制御手段は、前記動画撮影モードにおいて前記ピーキング表示を行い、前記静止画を撮影する際には前記ピーキング表示の色を変更することを特徴とする請求項１乃至３のいずれか１項に記載の撮像装置。
【請求項５】
動画及び静止画を撮影する撮像手段と、撮影する画像を表示部に表示する表示制御手段とを備える撮像装置の制御方法であって、
静止画撮影モードにて静止画を撮影する際には、合焦状態を確認可能なフォーカス枠を前記画像と合わせて前記表示部に表示する第１の表示ステップと、
動画撮影モードにて静止画を撮影する際には、前記フォーカス枠とは異なり、前記画像の一部のエッジを抽出または強調して表示するピーキング表示を行った画像を前記表示部に表示することで合焦状態を確認可能である第２の表示ステップと、を備えることを特徴とする撮像装置の制御方法。
【請求項６】
動画及び静止画を撮影する撮像手段と、撮影する画像を表示部に表示する表示制御手段とを備える撮像装置の制御プログラムであって、
静止画撮影モードにて静止画を撮影する際には、合焦状態を確認可能なフォーカス枠を前記画像と合わせて前記表示部に表示する第１の表示ステップと、
動画撮影モードにて静止画を撮影する際には、前記フォーカス枠とは異なり、前記画像の一部のエッジを抽出または強調して表示するピーキング表示を行った画像を前記表示部に表示することで合焦状態を確認可能である第２の表示ステップと、をコンピュータに実行させることを特徴とする撮像装置の制御プログラム。
【発明の詳細な説明】
【技術分野】
【０００１】
本発明は、例えば、デジタルビデオカメラやデジタルカメラなどの撮影装置に関し、特に、合焦状態に対応した表示効果を表示画面上に撮像映像と重ねて表示可能な撮影装置、撮像装置の制御方法及び撮像装置の制御プログラムに関する。
【背景技術】
【０００２】
業務用ビデオカメラなどにおいては、様々な撮影条件下で撮影画角内の被写体に厳密にピント合わせを行ったり、意図的にぼかしたりなど、撮影者によるマニュアルフォーカス（以下、ＭＦという）操作が行われることも多い。また、業務用に限らず、民生用のデジタルビデオカメラ等でも、オートフォーカス（以下、ＡＦという）だけでなく、ＭＦにも切り替えることが可能なものがある。
【０００３】
フォーカスの合い具合などの視認性を向上させるために、業務用の撮像装置では、大画面の映像表示部を備えていたり、外部に別途、表示装置を接続したりすることもある。また、民生用の撮像装置では、小型化、ローコスト化などの理由で、画像表示用のＥＶＦ（Electrical View Finder）や液晶表示パネル等の表示部のサイズが小型なものも多く、表示解像度の点からも視認性が十分高いとは言い難い。
【０００４】
また、ハイビジョンフォーマットの民生用デジタルビデオカメラも普及し始めたが、ハイビジョン撮影映像（以下、ＨＤ映像）を大画面ＴＶ等で見た場合、従来のＳＤ映像（ＮＴＳＣやＰＡＬなど）の場合以上にピントのボケが判ってしまうこともある。
【０００５】
業務用ビデオカメラでも民生用ビデオカメラでも表示部でのピントの合い具合の視認性を向上させるために、マニュアルフォーカス時のピント合わせを補助する技術がある。
【０００６】
例えば、「輪郭補正、ピーキング、エンハンサ（以下、ピーキング）」などと称される、撮影映像から輪郭信号を抽出するなどして、元映像に重畳・付加する形で輪郭を強調する処理や、映像にバンドパスフィルタ等をかけるなどしてエッジを強調する処理である。
【０００７】
強調された輪郭の見え方は、それぞれの撮像装置での表示部の表示サイズや表示画素数などの特性や被写体によっても異なり、業務用の撮像装置では、輪郭強調レベルや表示色をユーザ自身が撮影中に専用ダイヤル等で可変できるものなどもある。
【０００８】
一方、デジタルビデオカメラでは、動画撮影機能だけでなく、静止画撮影機能を有するものも多く、動画／静止画撮影モードを切り替えての撮影だけでなく、動画撮影中に静止画を同時に撮影する機能を有するものもある。
【０００９】
一般に、静止画のみを撮影する静止画撮影モードにおいては、デジタルカメラ等と同様に、複数の合焦状態を検出するフォーカスエリアの内、合焦状態と判断したフォーカスエリアの場所にフォーカス枠を表示するなどしてピントが合っている個所を明示している。
【００１０】
これに対して、動画撮影中の静止画撮影では、フォーカス枠の表示など、静止画の合焦状態に関する表示は行わずに動画撮影状態を優先して静止画撮影が行われている。
【００１１】
こうした中、ピーキング表示に関して、視認性や操作性の改善等のために、次のような撮像装置が提案されている。
【００１２】
即ち、合焦度合いにより画像内領域を分割して、合焦の度合いに従って非合焦領域は画像のボケを誇張し、合焦領域はシャープネス等の強調処理を行い、また、画面内同一の表示処理と分割表示処理とのモードを切り替る撮像装置が提案されている（特許文献１）。
【００１３】
また、動画撮影中に静止画撮影を行う際に、静止画撮影に集中して動画撮影中であることを忘れないようにするために、静止画撮影後にファインダー内にこれまでとは異なった表示形態で動画撮影中であることを表示する撮像装置が提案されている（特許文献２）。
【００１４】
更に、動画撮影中に、静止画の撮影が行われたことを視覚的に認識させるために、撮影中の動画を表示している表示画面内に静止画の映像を挿入して表示する撮像装置が提案されている（特許文献３）。
【特許文献１】特開２００７−９６７５３号公報
【特許文献２】特開平９−２２２６６４号公報
【特許文献３】特開平１１−３０８４８８号公報
【発明の開示】
【発明が解決しようとする課題】
【００１５】
ところで、動画撮影中に静止画を同時に撮影する機能を有する撮像装置では、動画及び静止画のそれぞれに対するピントの合い具合を、簡便な操作でかつ的確に把握することが求められている。
【００１６】
上記特許文献１〜３では、フォーカス・アシスト機能や動画・静止画の同時撮影時の表示方法等の改善はなされているが、静止画撮影モード時や動画撮影モード時の単一の動作モードでのピーキング表示方法や撮影モードの表示等に関する制御に留まっている。
【００１７】
従って、上記特許文献１〜３では、動画撮影中の静止画の同時撮影で、動画及び静止画のそれぞれに対応したピントの合い具合について言及されておらず、動画と静止画それぞれに対するピントの合い具合を簡便な操作でかつ的確に把握することは困難である。
【００１８】
そこで、本発明は、動画撮影中に静止画を撮影する際に、合焦状態を容易に確認することができると共に、静止画撮影であることを的確に把握することができる撮像装置、撮像装置の制御方法及び制御プログラムを提供することを目的とする。
【課題を解決するための手段】
【００１９】
上記目的を達成するために、本発明の撮像装置は、動画及び静止画を撮影する撮像手段と、撮影する画像を表示部に表示する表示制御手段とを備える撮像装置であって、前記表示制御手段は、静止画撮影モードにて静止画を撮影する際には、合焦状態を確認可能なフォーカス枠を前記画像と合わせて前記表示部に表示し、動画撮影モードにて静止画を撮影する際には、前記フォーカス枠とは異なり、前記画像の一部のエッジを抽出または強調して表示するピーキング表示を行った画像を前記表示部に表示することで合焦状態を確認可能であることを特徴とする。
【発明の効果】
【００２２】
本発明によれば、動画撮影中に静止画を撮影する際に、合焦状態を容易に確認することができると共に、静止画撮影であることを的確に把握することができる。
【発明を実施するための最良の形態】
【００２３】
以下、本発明の実施形態を図面を参照して説明する。
【００２４】
（第１の実施形態）
図１は、本発明の撮像装置の第１の実施形態であるデジタルビデオカメラを説明するための概略ブロック図である。
【００２５】
図１において、レンズ群２０１は、不図示の被写体を撮像するためのズーム機能、フォーカス（ピント）調整機能、露出の絞り調整機能を有する。ＣＭＯＳセンサ２０２は、レンズ群２０１より入射する像を撮像する撮像素子であり、静止画撮影のために電子シャッター機能を備える。
【００２６】
撮像素子駆動部２０３は、カメラ信号処理部２０６からのタイミングに従ってＣＭＯＳセンサ２０２を駆動制御する。ＣＤＳ（Correlated Double Sampling）／ＡＧＣ（Auto Gain Controller）２０４は、ＣＭＯＳセンサ２０２からのアナログ信号をサンプリングして不用なノイズを除去すると共に、システム制御部２１０からの制御により、信号レベルのゲインコントロールを行う。
【００２７】
Ａ／Ｄ変換器２０５は、ＣＤＳ／ＡＧＣ２０４から出力されたアナログ信号をデジタル信号に変換する。カメラ信号処理部２０６は、タイミング生成や、ＡＥ制御やガンマ調整、ＡＦ制御など、システム制御部２１１と連携して、カメラ撮像系の制御を担う。また、カメラ信号処理部２０６は、ＡＦ機能と合わせて被写体までの距離も算出可能であり、ピントの合い具合の制御の基準となる「ＡＦ評価値」も算出する。
【００２８】
ここで、本実施形態では、画面上のＡＦ用の測距枠は画面格子状に９点あるものとし、全ての測距枠を使用する場合や中心部のみの測距枠を使用するなどの選択が可能であり、複数の測距枠をまとめて「測距エリア」と称する。
【００２９】
カメラ信号処理用の汎用記憶部２０７は、カメラ画像の信号処理用のフレームメモリ等に使用する。レンズ駆動部２０８は、レンズ群２０１を駆動して、ズーム倍率やフォーカス調整、露出調整を行う。
【００３０】
ＡＦ時には、フォーカス調整情報（評価値）をカメラ信号処理部２０６で検出し、検出情報に基づきシステム制御部２１１からの制御信号によりレンズ駆動部２０８が駆動され、レンズ群２０１のフォーカス調整用レンズを制御してピント調整を行う。
【００３１】
また、ＭＦ時には、入力操作部２１３に属する、一般的にはレンズの外周に設けられたフォーカスリングをユーザが調整する。この場合、電子的な機構ではフォーカスリングの回転方向と回転量をシステム制御部２１１が検出し、検出情報によってレンズ駆動部２０８を駆動してレンズ群２０１を制御してピント調整を行う。機械的な機構では、フォーカスリングが機械的にレンズ群２０１と繋がっており、フォーカスリングをユーザが回すことで機械的にレンズ群２０１が動かされピント調整が行われる。
【００３２】
一方、マニュアルによる露出調整時には、入力操作部２１３に属する、一般的には別途設けられたアイリスダイヤルをユーザが調整する。具体的には、アイリスダイヤルの回転方向と回転量をシステム制御部２１１が検出し、検出情報によってレンズ駆動部２０８に含まれる露出調整機構を駆動して、レンズ群２０１に含まれる菱形絞りを制御して露出調整を行う。
【００３３】
ストロボ２０９は、露出制御と連動して、必要に応じて発光して被写体光量を補うものである。ストロボ発光に関しては、操作者の入力操作部２１３からの操作により、強制発光や、発光禁止、測光結果に従ったオートモードなどが選択可能である。マイク２１０は、レンズ群２０１の光学系を経て入射した画像と合わせて周囲の音を記録するために集音する。
【００３４】
システム制御部２１１は、デジタルビデオカメラ全体の制御を実行する。システム制御用の汎用記憶部２１２は、制御プログラムおよびデータ等が格納される記憶領域を有しており、制御実行のために必要に応じて作業領域としても使用するＲＯＭやＲＡＭを総称している。
【００３５】
入力操作部２１３は、各種操作キーや、タッチパネル等で構成される。入力操作部２１３には、例えば、撮影スタート・ストップボタンや、ゼブラパターンやピーキング表示を始めとした各種機能の選択ボタンや決定ボタン、静止画撮影用のシャッターボタン、フォーカスリング、ズームスイッチ、アイリスダイヤルなどが含まれる。
【００３６】
外部記録媒体２１４は、本実施形態では、メモリカード（メモリカードスロット含む）とする。通常、このメモリカードに対して、静止画撮影時にはＪＰＥＧファイルを保存する。外部記録媒体２１４の接続インタフェース機能は、システム制御部２１１に含まれるものとする。計時部２１５は、リアルタイムクロック（ＲＴＣ）とバックアップ電池を備え、日時をカウントして、システム制御部２１１からの要求に応じて、日時情報を返信する。
【００３７】
ビデオ制御部２１６は、液晶表示部２２３、ファインダー表示部（ＥＶＦ）２２４への表示制御、アナログライン入出力部２２５の入出力制御、デジタルデータＩ／Ｆ部２２６への出力制御および、ＤＶＤ記録／再生部２２１の制御等を行う。また、ビデオ制御部２１６は、ゼブラパターンやピーキング信号の生成および重畳なども行う。ビデオ制御用の汎用記憶部２１７は、ビデオベースバンド信号関連の信号処理用のフレームメモリ、ワークメモリ等に使用する。
【００３８】
ＭＰＥＧ２コーデック部２１８は、動画像の符号化／複合化処理を行う。なお、ＭＰＥＧ２に代えて、Ｈ．２６４コーデックであってもよい。ＪＰＥＧコーデック部２１９は、静止画像の符号化／複合化処理を行う。コーデック用汎用記憶部２２０は、ＭＰＥＧコーデック部２１８およびＪＰＥＧコーデック部２１９の符号化／複合化の際に必要な作業用メモリである。
【００３９】
ＤＶＤ記録／再生部２２１は、ビデオ制御部２１６とＭＰＥＧコーデック部２１８またはＪＰＥＧコーデック部２１９により符号化処理されて記録フォーマットとして処理された記録データを記録媒体２２２に記録／再生する。
【００４０】
記録媒体２２２は、本実施形態では、ＤＶＤ−ＲやＤＶＤ−ＲＷなどの光ディスクとされ、ＤＶＤ記録／再生部２２１により、動画像データや静止画像データ等の書き込み及び読み出しを行う。
【００４１】
液晶表示部２２３及びファインダー表示部（ＥＶＦ）２２４は、ＤＶＤ記録／再生部２２１でデータを記録する際には、撮像系からの入力画像を表示し、フォーカス枠表示や、撮影者の操作によりゼブラパターン、ピーキング表示なども合わせて表示する。また、液晶表示部２２３及びファインダー表示部２２４は、ＤＶＤ記録／再生部２２１でデータを再生する際には、記録媒体２２２に記録されている画像を表示する。更に、液晶表示部２２３及びファインダー表示部２２４は、入力操作部２１３からのユーザによる入力操作情報や、外部記録媒体２１４内の任意の画像情報などを表示することも可能である。
【００４２】
ライン入出力部２２５は、アナログコンポーネント映像の出力や、Ｓ端子入出力、コンポジット映像入出力などのインタフェース群である。ライン入出力部２２５は、出力の場合には、外部ＴＶモニタ等に接続して、デジタルビデオカメラからの映像出力をＴＶ画面に表示し、入力の場合には、外部映像機器からの入力を受け付ける。デジタルデータＩ／Ｆ部２２６は、ＵＳＢＩ／ＦやＩＥＥＥ１３９４Ｉ／Ｆ、ＨＤＭＩなどである。
【００４３】
図２は、上記構成のデジタルビデオカメラの代表的な撮影モードにおいて、液晶表示部２２３又はファインダー表示部２２４に表示される被写体、フォーカス枠、及びピーキング表示（確認画像）の模式的なイメージ図である。
【００４４】
図２（ａ）は、「静止画撮影」モード時のライブビュー表示を示す図であり、主要被写体１０２は、ここでは人物の上半身とする。図２（ｂ）は、「静止画撮影」モード時に、図２（ａ）の状態から、入力操作部２１３に含まれるシャッターボタンを半押しした状態での表示例を示す図である。図２（ｂ）においては、フォーカス枠１０３がピントが合った位置（図では人物の顔）に表示される。
【００４５】
図２（ｃ）は、「動画撮影中でピーキング表示ＯＦＦ」モード時で、通常のＡＦモードでの動画撮影中の表示例を示す図である。図２（ｄ）は、「動画撮影中でピーキング表示ＯＮ」モード時で、ＭＦモードでの動画撮影中の表示例を示す図である。
【００４６】
図２（ｄ）において、ピーキング表示１０４は、被写体１０２の輪郭部分がエッジ強調されて表示されている。なお、ピーキング表示１０４は、図は白黒で表示してあるが、任意に色を付けることが可能であり、ここでは予め設定した白色のピーキング表示としている。
【００４７】
図２（ｅ）は、「動画撮影中に静止画の同時撮影」が行われる場合で、図２（ｃ）又は図２（ｄ）の状態から、入力操作部２１３に含まれるシャッターボタンを半押しした状態での表示例を示す図である。
【００４８】
図２（ｅ）においては、ピーキング表示１０５により、被写体１０２の輪郭部分がエッジ強調されて表示されている状態であるが、図２（ｄ）でのピーキング表示１０４と表示色が異なり、ここでは予め設定した赤色のピーキング表示としている。
【００４９】
ここで、図２（ｃ）から図２（ｅ）への変化を見ると、図２（ｂ）での静止画撮影モードにおける表示、即ちフォーカス枠１０３を表示する場合と異なり、動画撮影中に静止画撮影用のシャッターボタンが半押しされた場合にはピーキング表示１０５を行う。これにより、動画撮影中に静止画撮影を行う場合においても、被写体に対するピントの合い具合を確認することが可能となると共に、動画撮影中の静止画撮影であることを撮影者が的確に把握することができる。
【００５０】
一方、図２（ｄ）から図２（ｅ）への変化を見ても、動画撮影中の動画に対するフォーカス・アシスト機能としてのピーキング表示１０４と、静止画撮影用のシャッターボタンが半押しされた場合のピーキング表示１０５との色を変化させる。これにより、動画撮影中の静止画撮影であることを撮影者が的確に把握することができる。
【００５１】
なお、ここではシャッターボタンが半押しされたことを前提に説明しているが、半押しの状態で止まらずに、全押しされる場合もある。この場合の制御方法はいくつか考えられるが、本実施形態では、静止画撮影を行うと同時に、シャッターボタンを半押しした場合と同じ表示を任意の時間だけ表示することとし、撮影者の視認性および利便性を向上させるものとする。
【００５２】
次に、図３を参照して、上記構成のデジタルビデオカメラの動作例について説明する。なお、図３での各処理は、ＲＯＭやハードディスク等に記憶された制御プログラムがＲＡＭにロードされて、システム制御部２１１のＣＰＵにより実行される。
【００５３】
まず、ステップＳ３０１では、システム制御部２１１は、撮影モードの終了有無を判定する。即ち、システム制御部２１１は、撮影者による入力操作部２１３のモードダイヤルの操作により撮影モードの終了が指示された場合には、ステップＳ３１７に進み、撮影モードを終了し、そうでない場合には、ステップＳ３０２に進む。
【００５４】
ステップＳ３０２では、システム制御部２１１は、動画撮影モードか静止画撮影モードかを判定し、動画撮影モードの場合には、ステップＳ３０３に進み、静止画撮影（単独）モードの場合には、ステップＳ３１０に進む。
【００５５】
ステップＳ３０３では、システム制御部２１１は、ピーキング表示のＯＮ／ＯＦＦ制御の判定を行う。即ち、システム制御部２１１は、撮影者による入力操作部２１３のピーキング表示ＯＮ／ＯＦＦボタン（選択手段）の操作状態を検出して、ピーキング表示ＯＮの場合には、ステップＳ３０４に進み、ＯＦＦの場合には、ステップＳ３０７に進む。
【００５６】
ステップＳ３０４では、システム制御部（第１の表示制御手段）２１１は、ビデオ制御部２１６を制御して、液晶表示部２２３又はファインダー表示部２２４に表示される被写体画像に対してピーキング表示を開始する。
【００５７】
ステップＳ３０５では、システム制御部２１１は、動画撮影が開始されたかどうかの判定を行う。即ち、システム制御部２１１は、撮影者により入力操作部２１３の記録開始／終了ボタンが操作されたか否かを判断し、操作された場合には、ステップＳ３０７に進んで動画撮影記録を開始し、操作が行われなければ、ステップＳ３０１に戻る。
【００５８】
ステップＳ３０７では、システム制御部２１１は、ＤＶＤ記録／再生部２２１を制御して、動画撮影した画像データを記録媒体２２２に記録する処理を行い、ステップＳ３０８に進む。
【００５９】
ステップＳ３０８では、システム制御部２１１は、撮影者により入力操作部２１３の静止画記録用シャッターボタンが半押しされた場合には、ステップＳ３１１に進み、半押しされない場合は、ステップＳ３０１に戻る。
【００６０】
ステップＳ３１１では、システム制御部（第２の表示制御手段）２１１は、ステップＳ３０４で液晶表示部２２３又はファインダー表示部２２４に表示されるピーキング表示の表示色を、予め設定した異なる色の表示色に変更し、ステップＳ３１４に進む。
【００６１】
一方、ステップＳ３０３でピーキング表示ＯＦＦの場合は、ステップＳ３０７において、システム制御部２１１は、それまでピーキング表示を行っていた場合は、ピーキング表示を終了する。また、システム制御部２１１は、ピーキング表示を行っていなかった場合は、そのままの状態を維持し、ステップＳ３０９に進む。
【００６２】
ステップＳ３０９では、システム制御部２１１は、撮影者により入力操作部２１３の静止画記録用シャッターボタンが半押しされたことを検出した場合には、ステップＳ３１２に進み、検出しない場合は、ステップＳ３０１に戻る。
【００６３】
ステップＳ３１２では、システム制御部２１１は、ビデオ制御部２１６を制御して、液晶表示部２２３又はファインダー表示部２２４に表示される被写体画像に対してピーキング表示（ステップＳ３１１と同一の色）を開始し、ステップＳ３１４に進む。
【００６４】
また、ステップＳ３０２で静止画撮影（単独）モードと判定された場合は、システム制御部２１１は、ステップＳ３１０に進む。ステップＳ３１０では、システム制御部２１１は、撮影者により入力操作部２１３の静止画記録用シャッターボタンが半押しされたことを検出した場合は、ステップＳ３１３に進み、検出しない場合は、ステップＳ３０１に戻る。
【００６５】
ステップＳ３１３では、システム制御部２１１は、ビデオ制御部２１６を制御して、液晶表示部２２３又はファインダー表示部２２４に表示される被写体画像の合焦部分にフォーカス枠の表示を行い、ステップＳ３１４に進む。
【００６６】
ステップＳ３１４では、システム制御部２１１は、撮影者により入力操作部２１３の静止画記録用シャッターボタンが全押しされたことを検出した場合には、ステップＳ３１５に進み、そうでない場合には、ステップＳ３１６へ進む。
【００６７】
ステップＳ３１５では、システム制御部２１１は、ステップＳ３１４でのシャッター全押しを受けて静止画撮影を行い、ステップＳ３１７に進む。ここでは、システム制御部２１１は、各種画像処理の制御を行った後にＪＰＥＧコーデック部２１９を制御して撮影データをＪＰＥＧに符号化する処理を行い、外部記録媒体であるメモリカード２１４に記録する。
【００６８】
ステップＳ３１６では、システム制御部２１１は、計時部２１５を介してタイムアウト検出を行い、予め設定されている任意の時間、シャッターボタンの全押し操作が行われない場合、ステップＳ３１７に進む。
【００６９】
ステップＳ３１７では、システム制御部２１１は、ステップＳ３１１、ステップＳ３１２、ステップＳ３１３での表示効果を解除して、ステップＳ３０１に戻る。
【００７０】
以上説明したように、本実施形態では、静止画撮影の単独モードでは、ＡＦ動作において、合焦状態を表すフォーカス枠を表示し、動画撮影中の静止画撮影モードでは、シャッターボタンの半押し時に、動画撮影時とは異なる色のピーキング表示を行う。これにより、動画撮影中に静止画を撮影する場合に、液晶表示部２２３又はファインダー表示部２２４で合焦状態を容易に確認することができると共に、静止画撮影であることを的確に把握することができる。
【００７１】
（第２の実施形態）
次に、図４〜図６を参照して、本発明の撮像装置の第２の実施形態であるデジタルビデオカメラについて説明する。なお、本実施形態のデジタルビデオカメラのハードウェア構成例については、上記第１の実施形態（図１）と同様であるため、符号を流用してその説明を省略する。
【００７２】
本実施形態は、合焦状態の基準となるＡＦ機能の評価値に基づいてピーキング表示の表示色を変化させる点が上記第１の実施形態と異なる。
【００７３】
図４は、本実施形態のデジタルビデオカメラの代表的な撮影モードにおいて、液晶表示部２２３又はファインダー表示部２２４に表示される被写体、フォーカス枠、及びピーキング表示の模式的なイメージ図である。なお、図４（ａ）〜図４（ｄ）については、既に説明した図２（ａ）〜図２（ｄ）の内容と同一であるため、説明を省略する。
【００７４】
図４（ｅ）は、「動画撮影中に静止画の同時撮影」が行われる場合で、図４（ｃ）又は図４（ｄ）の状態から、入力操作部２１３のシャッターボタンを半押しした状態での表示例を示す図である。
【００７５】
図４（ｅ）において、ピーキング表示４０１は、被写体１０２の一部分（ここでは顔の部分）の輪郭がエッジ強調されて表示されている。このピーキング表示４０１は、フォーカスエリア枠４０２の位置に対応しており、ピントが合ったフォーカスエリア枠４０２近傍に対してのみエッジ強調表示を行う制御となっている。
【００７６】
フォーカスエリア枠４０２は、最もピントが合ったエリアを示すものであり、実際の表示においては、このフォーカスエリア枠４０２の表示を行わずに、ピーキング表示４０１のみを行うものとする。
【００７７】
ここで、図４（ｃ）から図４（ｅ）への変化を見ると、図４（ｂ）での静止画撮影モードにおける表示、即ちフォーカス枠１０３を表示する場合と異なる。即ち、動画撮影中に静止画撮影用のシャッターボタンが半押しされた場合には、フォーカスエリア近傍のピーキング表示４０１のみを行い、被写体のどの部分に最もピントが合っているかを確認可能で、同時に、動画撮影中の静止画撮影であることを撮影者に明示している。
【００７８】
一方、図４（ｄ）から図４（ｅ）への変化を見ても、動画撮影中の動画に対するフォーカス・アシスト機能としてのピーキング表示１０４と、静止画撮影用のシャッターボタンが半押しされた時のピーキング表示４０１とは異なる。ここでの制御は、図３のステップＳ３１１に対応しており、本実施形態では、上記第１の実施形態のように、ピーキング表示色を変更するのではなく、ピーキング表示１０４に対してピーキング表示４０１の表示状態を部分的に変化させている。これにより、動画撮影中の静止画撮影であることを撮影者に明示している。
【００７９】
ここで、ピーキング表示を部分的に変化させる制御に図５に示す制御を加えて、動画撮影中の静止画撮影の合焦状態を確認する方法を説明する。
【００８０】
図５において、ピーキング表示５０１は、図４のピーキング表示４０１と同様に、被写体１０２の一部分（ここでは顔の部分）の輪郭がエッジ強調されて表示されている。このピーキング表示５０１は、フォーカスエリア５０２の位置に対応しており、ピントが合ったフォーカスエリア近傍に対してのみエッジ強調表示を行う制御となっている。
【００８１】
ここでは、フォーカスエリア５０２における合焦情報に連動して、合焦状態のピークからずれている場合と、合焦状態が良好な場合とで、ピーキング表示の表示色を変える。合焦状態を示すＡＦ評価値に対する閾値は、予め任意に設定可能である。また、合焦状態のピークからずれている場合のピーキング表示５０１の表示色は「橙」としている。
【００８２】
フォーカスエリア５０２は、図４のフォーカスエリア４０２と同様に、最もピントが合ったエリアを示すものであり、実際の表示においては、このフォーカスエリア５０２の表示を行わずに、ピーキング表示５０１のみが行われている。
【００８３】
ピーキング表示５０３は、被写体１０２の一部分（ここでは顔の部分）の輪郭がエッジ強調されて表示されている。このピーキング表示５０３は、フォーカスエリア５０４の位置に対応しており、ピントが合ったフォーカスエリア近傍に対してのみエッジ強調表示だけを行う制御となっている。また、このピーキング表示５０３は、フォーカスエリア５０２における合焦情報よりも合焦状態が良好な場合の例を示しており、ピーキング表示５０１とは表示色を変えて表示され、表示色は「緑」としている。
【００８４】
フォーカスエリア５０４は、フォーカスエリア５０２と同様に、最もピントが合ったエリアを示すものであり、実際の表示においては、このフォーカスエリア５０４の表示を行わずに、ピーキング表示５０３のみが行われる。
【００８５】
次に、図６を参照して、ＡＦ評価値に応じてピーキング表示の色を変える制御について説明する。なお、図６での各処理は、図３のステップＳ１１７またはステップＳ３１２における制御に対応しており、図３と同様に、システム制御部２１１により実行される。
【００８６】
ステップＳ６０１では、システム制御部（検出手段）２１１は、カメラ信号処理部２０６における現在のＡＦ評価値が、予め設定した閾値に対してピントが合っている側の値かピントがボケている側の値であるかを判定する。そして、システム制御部２１１は、ＡＦ評価値（検出値）がピントが合っている側の値である場合には、ステップＳ６０２に進み、ＡＦ評価値がピントがボケている側の値である場合には、ステップＳ６０３に進む。
【００８７】
ステップＳ６０２では、システム制御部（第３の表示制御手段）２１１は、ピーキング表示の表示色を予め設定した色である「緑」に設定して処理を終了し、図３のステップＳ３１４に進む。
【００８８】
ステップＳ６０３では、システム制御部２１１は、ピーキング表示の表示色を予め設定した色である「橙」に設定して処理を終了し、図３のステップＳ３１４に進む。
【００８９】
以上説明したように、本実施形態では、ＡＦの評価値に応じてピーキング表示の表示色を変更することにより、動画撮影中のために静止画撮影としてピントの合い具合を調整できない場合でも、ピントの合ったシャッターチャンスの目安とすることが可能となる。その他の構成及び作用効果については、上記第１の実施形態と同様である。
【００９０】
なお、本発明は、上記実施形態に例示したものに限定されるものではなく、本発明の要旨を逸脱しない範囲において適宜変更可能である。
【００９１】
また、本発明の目的は、以下の処理を実行することによって達成される。即ち、上述した実施形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出す処理である。
【００９２】
この場合、記憶媒体から読み出されたプログラムコード自体が前述した実施の形態の機能を実現することになり、そのプログラムコード及び該プログラムコードを記憶した記憶媒体は本発明を構成することになる。
【００９３】
また、プログラムコードを供給するための記憶媒体としては、次のものを用いることができる。例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等である。または、プログラムコードをネットワークを介してダウンロードしてもよい。
【００９４】
また、コンピュータが読み出したプログラムコードを実行することにより、上記実施の形態の機能が実現される場合も本発明に含まれる。加えて、そのプログラムコードの指示に基づき、コンピュータ上で稼動しているＯＳ（オペレーティングシステム）等が実際の処理の一部または全部を行い、その処理によって前述した実施形態の機能が実現される場合も含まれる。
【００９５】
更に、前述した実施形態の機能が以下の処理によって実現される場合も本発明に含まれる。即ち、記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部または全部を行う場合である。
【図面の簡単な説明】
【００９６】
【図１】本発明の撮像装置の第１の実施形態であるデジタルビデオカメラを説明するための概略ブロック図である。
【図２】デジタルビデオカメラの代表的な撮影モードにおいて、液晶表示部又はファインダー表示部に表示される被写体、フォーカス枠、及びピーキング表示の模式的なイメージ図である。
【図３】デジタルビデオカメラの動作例について説明するためのフローチャート図である。
【図４】本発明の撮像装置の第２の実施形態であるデジタルビデオカメラの代表的な撮影モードにおいて、液晶表示部又はファインダー表示部に表示される被写体、フォーカス枠、及びピーキング表示の模式的なイメージ図である。
【図５】動画撮影中の静止画撮影の合焦状態を確認する方法を説明するための説明図である。
【図６】ＡＦ評価値に応じてピーキング表示の色を変える制御について説明するためのフローチャート図である。
【符号の説明】
【００９７】
２０１  レンズ群
２０２  ＣＭＯＳセンサ
２０３  撮像素子駆動部
２０４  ＣＤＳ／ＡＧＣ部
２０５  Ａ／Ｄ変換器
２０６  カメラ信号処理部
２０７  カメラ信号処理用汎用記憶部
２０８  レンズ・絞り駆動部
２０９  ストロボ
２１０  マイク
２１１  システム制御部
２１２  システム制御用汎用記憶部
２１３  入力操作部
２１４  外部記録媒体
２１５  計時部
２１６  ビデオ制御部
２１７  ビデオ制御用汎用記憶部
２２０  ＣＯＤＥＣ用汎用記憶部
２２１  ＤＶＤ記録／再生部
２２２  記録媒体
２２３  液晶表示部
２２４  ファインダー表示部
２２５  アナログライン入出力部
２２６  デジタルデータＩ／Ｆ部
【図１】
0005025532.tif 000002
【図２】
0005025532.tif 000003
【図３】
0005025532.tif 000004
【図４】
0005025532.tif 000005
【図５】
0005025532.tif 000006
【図６】
0005025532.tif 000007